(57)【特許請求の範囲】
【請求項１】
金属製の燃焼材収納箱と、該燃焼材収納箱内に配置される燃料受け付きのロストルと、前記燃焼材収納箱に被さる金網と、前記燃焼材収納箱を一定高さに支持するスタンドとを有するバーベキュー用コンロにおいて、
前記燃焼材収納箱は平面視して周囲に長辺と短辺とを有する矩形状となって、１）長辺方向に直交する切れ目で４等分された分割底板を前記切れ目部分で回動可能に連結した矩形状の底板と、２）前記底板の長辺に沿って立設して対向配置され、それぞれ２等分されてその切れ目部分で回動可能に連結された第１、第２の側板と、３）前記底板の短辺に沿って立設して対向配置され、上端部にはそれぞれ外側に折り曲げられた把っ手部を有する第３、第４の側板とを有し、
しかも、４分割された前記底板は、２分割された前記第１、第２の側板と同一形状となって、
前記底板の短辺方向の長さは、前記第３、第４の側板の長さと同一となって、前記第３、第４の側板の下端は前記底板の両側の短辺にそれぞれ回動可能に連結され、
前記第１、第２の側板の長辺方向の一端部は、それぞれ前記第３、第４の側板の一側端部に回動可能に連結され、前記第１、第２の側板の長辺方向の他端部は、前記第３、第４の側板の他側端部に掛止又は回動可能に連結されて、
組み立てた状態の前記燃焼材収納箱は、前記燃料受け付きのロストルを入れてその形状を保つことを特徴とするバーベキュー用コンロ。
【請求項２】
請求項１記載のバーベキュー用コンロにおいて、分割された前記底板同士の連結、分割された前記第１、第２の側板同士の連結、前記第３、第４の側板と前記底板との連結、及び前記第１、第２の側板と前記第３、第４の側板との連結はヒンジ構造となっていることを特徴とするバーベキュー用コンロ。
【請求項３】
請求項１又は２記載のバーベキュー用コンロにおいて、前記スタンドの上部には組み立てた状態の前記燃焼材収納箱の下部を入れて支持する載置部が設けられていることを特徴とするバーベキュー用コンロ。
【請求項４】
金属製の燃焼材収納箱と、該燃焼材収納箱内に配置される燃料受け付きのロストルと、前記燃焼材収納箱に被さる金網と、前記燃焼材収納箱を一定高さに支持するスタンドとを有するバーベキュー用コンロにおいて、
前記燃焼材収納箱は平面視して周囲に長辺と短辺とを有する矩形状となって、１）長辺方向に直交する切れ目で等分された分割底板を前記切れ目部分で回動可能に連結した矩形状の底板と、２）前記底板の長辺に沿って立設して対向配置され、それぞれ等分されてその切れ目部分で回動可能に連結された第１、第２の側板と、３）前記底板の短辺に沿って立設して対向配置され、上端部にはそれぞれ外側に折り曲げられた把っ手部を有する第３、第４の側板とを有し、
前記第３、第４の側板の下端は前記底板の両側の短辺にそれぞれ回動可能に連結され、
前記第１、第２の側板の長辺方向の一端部は、それぞれ前記第３、第４の側板の一側端部に回動可能に連結され、前記第１、第２の側板の長辺方向の他端部は、前記第３、第４の側板の他側端部に掛止又は回動可能に連結されて、
しかも、等分された前記底板の形状と、等分された前記第１、第２の側板の形状と、前記把っ手部を除く前記第３、第４の側板の形状は同一となって、収納時はこれらを重合することが可能であり、組み立てた状態の前記燃焼材収納箱は、前記燃料受け付きのロストルを入れてその形状を保つことを特徴とするバーベキュー用コンロ。
【請求項５】
請求項４記載のバーベキュー用コンロにおいて、分割された前記底板同士の連結、分割された前記第１、第２の側板同士の連結、前記第３、第４の側板と前記底板との連結、及び前記第１、第２の側板と前記第３、第４の側板との連結はヒンジ構造となっていることを特徴とするバーベキュー用コンロ。
【発明の詳細な説明】
【技術分野】
【０００１】
本発明は、燃焼材（例えば、炭、石炭、その他の固形燃料）を収納する燃焼材収納箱が折り畳み可能となったバーベキュー用コンロに関する。
【背景技術】
【０００２】
特許文献１、２に示すように、金属製の燃焼材収納箱に木炭等を入れて加熱し、その上に金網をおいて、肉や野菜を調理することは、バーベキュー料理として周知である。
しかしながら、これらのバーベキューセットは、大きな燃焼材収納箱と脚を有するので、嵩張り、野外キャンプ等に持って行くのは不便であった。
【０００３】
そこで、特許文献３に記載のように、燃焼材収納箱を分解できるようにしたものが提案された。また、特許文献４に示すように、内部に配置されているロストルを外して、燃焼材収納箱を平面状に折り畳めるものも提案されている。
【先行技術文献】
【特許文献】
【０００４】
【特許文献１】特開２００３−２２５１６９号公報
【特許文献２】特開２００５−１９２８２８号公報
【特許文献３】実用新案登録第３１６２１４４号公報
【特許文献４】特開平１１−２５３３２４号公報
【発明の概要】
【発明が解決しようとする課題】
【０００５】
しかしながら、特許文献４の技術では、燃焼材収納箱は平面状になるが、依然としてバーベキューセットの幅に応じて嵩張る長さを有し、更に特許文献３の技術においても、燃焼材収納箱の長片の長さ以下に小さくはならないという問題があった。
【０００６】
本発明はかかる事情に鑑みてなされたもので、燃焼材収納箱自体を折り畳んで、更にコンパクトに収納できるバーベキュー用コンロを提供することを目的とする。
【課題を解決するための手段】
【０００７】
前記目的に沿う第１の発明に係るバーベキュー用コンロは、金属製の燃焼材収納箱と、該燃焼材収納箱内に配置される燃料受け付きのロストルと、前記燃焼材収納箱に被さる金網と、前記燃焼材収納箱を一定高さに支持するスタンドとを有するバーベキュー用コンロにおいて、
前記燃焼材収納箱は平面視して周囲に長辺と短辺とを有する矩形状となって、１）長辺方向に直交する切れ目で４等分された分割底板を前記切れ目部分で回動可能に連結した矩形状の底板と、２）前記底板の長辺に沿って立設して対向配置され、それぞれ２等分されてその切れ目部分で回動可能に連結された第１、第２の側板と、３）前記底板の短辺に沿って立設して対向配置され、上端部にはそれぞれ外側に折り曲げられた把っ手部を有する第３、第４の側板とを有し、
しかも、４分割された前記底板は、２分割された前記第１、第２の側板と同一形状となって、
前記底板の短辺方向の長さは、前記第３、第４の側板の長さと同一となって、前記第３、第４の側板の下端は前記底板の両側の短辺にそれぞれ回動可能に連結され、
前記第１、第２の側板の長辺方向の一端部は、それぞれ前記第３、第４の側板の一側端部に回動可能に連結され、前記第１、第２の側板の長辺方向の他端部は、前記第３、第４の側板の他側端部に掛止又は回動可能に連結されて、
組み立てた状態の前記燃焼材収納箱は、前記燃料受け付きのロストルを入れてその形状を保つ。
【０００８】
また、前記目的に沿う第２の発明に係るバーベキュー用コンロは、金属製の燃焼材収納箱と、該燃焼材収納箱内に配置される燃料受け付きのロストルと、前記燃焼材収納箱に被さる金網と、前記燃焼材収納箱を一定高さに支持するスタンドとを有するバーベキュー用コンロにおいて、
前記燃焼材収納箱は平面視して周囲に長辺と短辺とを有する矩形状となって、１）長辺方向に直交する切れ目で等分された分割底板を前記切れ目部分で回動可能に連結した矩形状の底板と、２）前記底板の長辺に沿って立設して対向配置され、それぞれ等分されてその切れ目部分で回動可能に連結された第１、第２の側板と、３）前記底板の短辺に沿って立設して対向配置され、上端部にはそれぞれ外側に折り曲げられた把っ手部を有する第３、第４の側板とを有し、
前記第３、第４の側板の下端は前記底板の両側の短辺にそれぞれ回動可能に連結され、
前記第１、第２の側板の長辺方向の一端部は、それぞれ前記第３、第４の側板の一側端部に回動可能に連結され、前記第１、第２の側板の長辺方向の他端部は、前記第３、第４の側板の他側端部に掛止又は回動可能に連結されて、
しかも、等分された前記底板の形状と、等分された前記第１、第２の側板の形状と、前記把っ手部を除く前記第３、第４の側板の形状は同一となって、収納時はこれらを重合することが可能であり、組み立てた状態の前記燃焼材収納箱は、前記燃料受け付きのロストルを入れてその形状を保つ。
【０００９】
第１、第２の発明に係るバーベキュー用コンロにおいて、分割された前記底板同士の連結、分割された前記第１、第２の側板同士の連結、前記第３、第４の側板と前記底板との連結、及び前記第１、第２の側板と前記第３、第４の側板との連結はヒンジ構造となっているのが好ましい。
【００１０】
また、第１、第２の発明に係るバーベキュー用コンロにおいて、前記スタンドの上部には組み立てた状態の前記燃焼材収納箱の下部を入れて支持する載置部が設けられているのが好ましい。
なお、以上の発明において、金属とは、鉄、ステンレス、耐熱鋼、アルミ、アルミ合金、銅、又は銅合金をいう。なお、ロストル等は耐熱性を有する金属の他、セラミック等であってもよい。
更に、燃焼材収納箱内に配置される燃料受け付きのロストル、燃焼材収納箱に被さる金網、燃焼材収納箱を一定高さに支持するスタンドを折り畳み構造とするのが好ましく、これによって、よりコンパクトにバーベキュー用コンロをすることができる。
ここで、寸法、形状が同一とは、寸法的に±５％の誤差がある場合も含む。
【発明の効果】
【００１１】
本発明に係るバーベキュー用コンロは、燃焼材収納箱が折り畳み可能であるので、折り曲げてコンパクトに収納でき、搬送が嵩張らず容易となる。
【図面の簡単な説明】
【００１２】
【図１】本発明の一実施の形態に係るバーベキュー用コンロの組み立て斜視図である。
【図２】（Ａ）は同バーベキュー用コンロの燃焼材収納箱の平面図、（Ｂ）は同バーベキュー用コンロの燃焼材収納箱の正面図、（Ｃ）は同バーベキュー用コンロの燃焼材収納箱の側面図である。
【図３】（Ａ）は同バーベキュー用コンロの燃料受けの平面図、（Ｂ）は同バーベキュー用コンロの燃料受け付きのロストルの正面図である。
【図４】（Ａ）は同バーベキュー用コンロのロストルの平面図、（Ｂ）はその正面図である。
【図５】（Ａ）は同バーベキュー用コンロの金網の平面図、（Ｂ）はその正面図である。
【図６】（Ａ）〜（Ｃ）は同バーベキュー用コンロの燃焼材収納箱の収納方法を示す説明図である。
【発明を実施するための形態】
【００１３】
続いて、本発明を具体化した本発明の一実施の形態に係るバーベキュー用コンロ１０について説明する。                                      
図１に示すように、バーベキュー用コンロ１０は、厚みが例えば０．３〜１．５ｍｍの金属（例えば、ステンレス又は銅合金）板製の燃焼材収納箱１１と、燃焼材収納箱１１内に配置される燃料受け付きのロストル１２と、燃焼材収納箱１１に被さる金網１３と、燃焼材収納箱１１を一定高さに支持するスタンド（取付け台）１４とを有する。以下、これについて詳細に説明する。
【００１４】
図１、図２（Ａ）〜（Ｃ）に示すように、燃焼材収納箱１１は平面視して矩形の底板２０を有し、その周囲に長辺１６、１７と短辺１８、１９とを有する直方体状となっている。底板２０は、長辺方向に直交する切れ目で４等分された分割底板２４〜２７を有し、隣り合う分割底板２４〜２７はヒンジ（蝶番）２８〜３０によって切り目部分で回動可能に連結されている。また、第３、第４の側板３２、３３が底板２０の短辺１８、１９に沿って立設して対向配置され、第３、第４の側板３２、３３の下端が底板２０の長手方向両端（短辺１８、１９）にヒンジ３２ａ、３３ａによって回動可能に連結されている。これによって、分割底板２４〜２７と第３、第４の側板３２、３３が、１８０度折り曲げ可能となって、平面視して１／４に縮小して重ねることができる（図６（Ｃ）参照）。ここで、底板２０の短辺方向の長さと第３、第４の側板３２、３３の長さは同一となっている。
【００１５】
この場合、この実施の形態では第３、第４の側板３２、３３の上部が、折り畳まれた分割底板２４〜２７から飛び出すことになり、この飛び出した部分に、第３、第４の側板３２、３３の上端部が外側に折り曲げられて形成された逆Ｌ字状、逆Ｊ字状又は溝型状の把っ手部３６、３７が設けられている。なお、この飛び出しを防止するために、第３、第４の側板の高さを分割底板２４〜２７の幅と同一にし、把っ手部は第３、第４の側板の上部に設けられた１又は複数の貫通孔を設けることによって代用することも可能である。
なお、燃焼材収納箱１１を形成する板の厚みが厚い場合には、ヒンジ３２ａ、３３ａで連結される底板２０と第３、第４の側板３２、３３の連結部分（ヒンジ３２ａ、３３ａの近傍）を部分的に折り曲げて、全部を９０度曲げして各板を平行にした場合の第３、第４の側板３２、３３と底板２０との隙間を大きくしておく（例えば、板厚の４倍、図６（Ｂ）参照）。
【００１６】
第３、第４の側板３２、３３の一方（燃焼材収納箱１１の中心を基準にして時計方向Ｔ（図２（Ａ）参照）の片側には、第１、第２の側板３９、４０の長辺方向の一端部がヒンジ４１、４２を介して回動かつ折り曲げ可能に取付けられている。
ここで、組み立てた状態では、第１、第２の側板３９、４０は底板２０の長辺に沿って立設して対向配置されて、それぞれ中央の切れ目で２等分されて、切れ目の部分はヒンジ４３、４４によって回動可能に連結されている。
【００１７】
また、第１、第２の側板３９、４０の長さは、第３、第４の側板３２、３３の長さの２倍となって、２分割された第１、第２の側板３９、４０の幅が第３、第４の側板３２、３３の長さと同一となっている。
更に、第１〜第４の分割底板２４〜２７の幅（短辺側）の長さは、第１、第２の側板３９、４０の高さと同一となっている。従って、第１〜第４の分割底板２４〜２７、２分割された第１、第２の側板３９、４０及び把っ手部３６、３７を除く第３、第４の側板３２、３は寸法的に同一形状となっている。そして、収納時はこれらを重合することができる。
【００１８】
第１、第２の側板３９、４０の長辺方向の他方の片側には、掛止片部４６、４７が上下に設けられ、第３、第４の側板３２、３３の他方の片側にそれぞれ設けられた掛止受け部４８、４９に嵌入し、第１の側板３９、第４の側板３３、第２の側板４０、第３の側板３２及びこれらに連接する底板２０によって、上部が解放の直方体箱からなる燃焼材収納箱１１を形成する。なお、掛止片部４６、４７及び掛止受け部４８、４９によって仮止め手段４５を形成する。
【００１９】
掛止片部４６、４７は第１、第２の側板３９、４０の他方の片側を直角に折り曲げ、上下方向に縮幅した片によって形成され、掛止受け部４８、４９は溝型状の片を第３、第４の側板３２、３３の他方の端部に溶接して形成され、掛止受け部４８、４９の長孔に掛止片部４６、４７が嵌入するようになっている。
【００２０】
この燃焼材収納箱１１を収納する場合には、図６（Ａ）に示すように、掛止片部４６、４７を掛止受け部４８、４９から取外し、第１、第２の側板３９、４０を中央のヒンジ４３、４４によって１８０度折り曲げる。
次に、図６（Ｂ）に示すように、底板２０をヒンジ２８、２９、３０で１８０度曲げを行い、ヒンジ３２ａ、３３ａで９０度曲げして、図６（Ｃ）に示すように、第３、第４の側板３２、３３に重ね合わせてコンパクトにする。
なお、燃焼材収納箱１１は組み立てた状態では、第１、第２の側板３９、４０の下端が底板２０の外側に位置するように底板２０の幅が決定されている。
【００２１】
次に、組み立てた状態の燃焼材収納箱１１に入れる燃料受け付きのロストル１２について説明する。図１、図３（Ａ）、（Ｂ）に示すように、この実施の形態では燃料受け付きのロストル１２は燃料受け１２ａとロストル本体５０を有し、薄箱又は皿状の燃料受け１２ａは中央にヒンジ５１を有して２つに（又は３以上に）折り畳み可能となっている。そして、燃料受け１２ａの長手方向両側には、回動可能な把っ手５１ａ、５１ｂを有している。なお、把っ手５１ａ、５１ｂは必須の要件ではなく、側板に設けた突起又は開口等で代用できる。
【００２２】
一方、図４（Ａ）、（Ｂ）に示すように、ロストル本体５０は比較的太い線材又は棒材を縦横に組み合わせて形成され、この上に木炭等を置いた場合、容易に下方に落下しないようになっている。ロストル本体５０は、容器状の燃料受け１２ａに嵌入し、燃料受け１２ａは燃焼材収納箱１１に収納できる大きさとなっている。
なお、ロストル本体５０及び燃料受け１２ａは例えば、２分割又は３分割以上に分解して、ヒンジ５０ａ等で連結してコンパクトに収納され、使用にあっては平面状に拡げることもできる。ロストル本体５０の底部に適当高さの脚を設けて、燃料の位置を底板２０の位置より少し上げるのが好ましい。
【００２３】
また、図５（Ａ）、（Ｂ）に示すように、燃焼材収納箱１１の上部に燃焼材収納箱１１の平面積より大きい金網１３が配置されている。金網１３は周囲の枠体５２と縦横に所定ピッチで設けられた網線５３、５４を有し、この上に食物をおいて下部にロストル本体５０上に置いた燃料（炭等）によって、食物を加熱調理できるようになっている。
なお、必要に応じて、中央にヒンジ５５を設けて２つ折り、又は更に複数のヒンジを設けて３つ折り可能となってコンパクトに収納できるようにするのが好ましい。図１、図５において、金網１３にはずれ止め５６が設けられ、燃焼材収納箱１１に金網１３を載せた場合、幅方向（短手方向）に移動しない構造となっている。
【００２４】
スタンド１４は、縦横のいずれの方向から側面視しても上辺が下辺より短い略台形状となっている。そして、スタンド１４は太めの線材からなってヒンジで回動可能に２分割された第１〜第４の側脚５８〜６１と、第１、第４の側脚５８、６１を回動自在に連結する第５の側脚６２と、第２、第３の側板５９、６０を回動自在に連結する第６の側脚６３とを有している。第１〜第６の側脚５８〜６３で形成される組み立てた状態の上枠６５（第１〜第６の側脚５８〜６３の上端材によって形成される）を平面視した大きさは、平面視した燃焼材収納箱１１の大きさより僅少の範囲（例えば、１〜３ｍｍ）で大きくなっている。
【００２５】
また、第１〜第４の側脚５８〜６１の上側は上辺の中央部分が下方に折り曲げられていると共に、その先側が内側水平方向に折り曲げられて、載置部６７〜７０を形成している。従って、スタンド１４の上に、燃焼材収納箱１１を収納載置することが可能となる。
また、スタンド１４は複数の側脚を回動可能に連結して折り曲げ収納することができる。
【００２６】
なお、スタンド１４は折り畳むと、平面視して矩形とはならないので、前記した第１〜第６の側脚５８〜６３を、燃焼材収納箱１１の第１〜第４の側板３９、４０、３２、３３と同様に、長方形状、又は正方形状として折り曲げ時にコンパクトに収納させることもできる。この場合（以上の実施の形態も含む）、第１〜第６の側脚は、全部が回動自在に連結されている他、部分的に連結する部分（金具）を分離できる。
【００２７】
続いて、このバーベキュー用コンロ１０の使用方法について説明する。
図１に示すように、スタンド１４を平面視して矩形状態に組み立てる。次に、燃焼材収納箱１１を図１、図２に示すように、展開して箱状に組み立てる。この組み立てた燃焼材収納箱１１は容易に変形し易いが、スタンド１４の上部に載置すると、スタンド１４及び燃焼材収納箱１１を平面視して矩形の正規（使用可能な）状態に保つことができる。
【００２８】
次に、燃料受け付きのロストル１２を図１のように組み立てる。この場合、燃料受け１２ａを直方体状の箱に組み立て、その中にロストル本体５０を入れる。これによって、燃料受け１２ａの形が一定に保たれる。更にこの燃料受け付きのロストル１２を、燃焼材収納箱１１内に入れる。これによって、燃焼材収納箱１１が内側から保持される。
【００２９】
次に、この燃料受け付きのロストル１２内に発火材（例えば、木炭）を入れて、火を点ける。次に金網１３を燃焼材収納箱１１の上に載せて、バーベキュー用コンロ１０が使用可能状態となる。金網１３の上に、肉、野菜等の食物を置けば、バーベキュー料理が楽しめる。
【００３０】
以上の実施の形態において、バーベキュー用コンロ１０は、スタンド１４、燃焼材収納箱１１、燃料受け付きのロストル１２、及び金網１３を必要とし、これらは折り畳んでコンパクトに収納できることを条件としたが、その一部を省略、又は変形する場合であっても本発明は適用される。
【００３１】
また、以上の実施の形態において、ヒンジはいずれもヒンジ構造を意味するが、ヒンジ構造としては、板材の端に辺に沿って隙間を有して設けられた複数の突出片を断面円状又は断面円弧状に折り曲げて管状部を形成し、対向する板材の管状部を噛み合わせて軸心にピンを入れて回動自在に連結する場合の他、別に独立した蝶番を容易し、この蝶番を用いて隣り合う板を回動可能に連結することもできる。
更に、第１、第２の側板の長辺方向の他端部と第３、第４の側板の他側端部を仮止め手段で掛止しているが、第１、第２の側板の長辺方向の他端部と第３、第４の側板の他側端部を回動可能に連結してもよい。
【００３２】
以上の実施の形態においては、底板は４等分、側板は２等分する例を示したが、底板を３等分又は５等分以上、側板を３等分以上とすることができ、更に、これらの等分を偶数等分とするのがより好ましい。
また、以上の実施の形態を説明する図面において、ヒンジは拡大して表示したが、図面に記載された形状より小さくすることもできる。
【符号の説明】
【００３３】
１０：バーベキュー用コンロ、１１：燃焼材収納箱、１２：燃料受け付きのロストル、１２ａ：燃料受け、１３：金網、１４：スタンド、１６、１７：長辺、１８、１９：短辺、２０：底板、２４〜２７：分割底板、２８〜３０：ヒンジ、３２：第３の側板、３２ａ：ヒンジ、３３：第４の側板、３３ａ：ヒンジ、３６、３７：把っ手部、３９：第１の側板、４０：第２の側板、４１〜４４：ヒンジ、４５：仮止め手段、４６、４７：掛止片部、４８、４９：掛止受け部、５０：ロストル本体、５０ａ：ヒンジ、５１：ヒンジ、５１ａ、５１ｂ：把っ手、５２：枠体、５３、５４：網線、５５：ヒンジ、５６：ずれ止め、５８〜６３：第１〜第６の側脚、６５：上枠、６７〜７０：載置部
【図１】
0005916694.tif 000002
【図２】
0005916694.tif 000003
【図３】
0005916694.tif 000004
【図４】
0005916694.tif 000005
【図５】
0005916694.tif 000006
【図６】
0005916694.tif 000007